(57)【要約】【課題】ウォーターマーク等の付加画像を印刷対象画像に合成し印刷処理する場合に、付加画像印刷データを一時的に保持する保持メモリを、そのメモリ容量内で効率よく利用し、たとえカラー頁とモノクロ頁とが混載した混載印刷であっても、印刷速度の低下を極力抑えて、印刷装置の有するパフォーマンスを最大限発揮できる印刷制御装置を提供する。【解決手段】デジタル複合機の印刷制御装置では、制御部が、保持メモリ１３ｂの保持領域に、付加画像印刷データを一時保持させるにあたり、カラー用であれば、初段から最終段に向って格納していき、モノクロ用であれば、最終段から初段に向って格納する。【選択図】図１
2010055574.tif 000002
【特許請求の範囲】
【請求項１】
画像データを入力させる入力手段と、
入力された印刷対象画像の画像データから印刷対象画像印刷データを生成する第１データ生成手段と、
前記印刷対象画像に合成する付加画像の画像データから、当該印刷対象画像のカラー情報に応じて、カラー用の付加画像印刷データ或いはモノクロ用の付加画像印刷データを生成する第２データ生成手段と、
前記付加画像印刷データを一時的に保持する保持領域を有する保持メモリと、
前記印刷対象画像印刷データに何れか所定の方の前記付加画像印刷データを合成して出力用印刷データを作成するものであって、合成時に前記保持領域に合成すべき付加画像印刷データが保持されている場合は、保持されている付加画像印刷データを用いる印刷データ合成手段と、
前記出力用印刷データを印刷装置へと出力する出力手段とを備えた印刷制御装置において、
前記保持メモリを制御する保持メモリ制御手段を備え、
該保持メモリ制御手段は、前記付加画像印刷データがカラー用である場合は、前記保持領域の上端或いは下端の何れか一方の端側からデータを格納して保持させ、モノクロ用であれば前記保持領域の他端側からデータを格納して保持させることを特徴とする印刷制御装置。
【請求項２】
前記保持メモリ制御手段は、前記付加画像印刷データを前記保持領域の上端側或いは下端側から格納して保持するにおいて、既に他端側から格納されたデータを保持しているデータ領域に重ねて保持させる必要がある場合は、他端側から格納された付加画像印刷データを保持しているデータ領域を解放して、保持を可能にすることを特徴とする請求項１に記載の印刷制御装置。
【請求項３】
前記第２データ生成手段が、カラー用、モノクロ用それぞれの付加画像印刷データの生成に要する生成所要時間を計測する計測手段を備え、
前記保持メモリ制御手段は、前記付加画像印刷データを前記保持領域の上端側或いは下端側から格納して保持するにおいて、既に他端側から格納されたデータを保持しているデータ領域に重ねて保持させる必要がある場合は、前記計測手段にて計測されたカラー用、モノクロ用それぞれの生成所要時間を比較し、保持しようとする付加画像印刷データが生成所要時間の長い方であれば、他端側から格納された付加画像印刷データを保持しているデータ領域を解放して、保持を可能にする一方、保持しようとする付加画像印刷データが生成所要時間の短い方であれば、保持を行わないことを特徴とする請求項１に記載の印刷制御装置。
【請求項４】
前記第２データ生成手段は、前記保持領域をワークエリアとして使用し、
前記保持メモリ制御手段は、前記第２データ生成手段が付加画像印刷データを生成するワークエリアとして前記保持領域を使用させ、カラー用を生成する場合は、カラー用の付加画像印刷データを保持しているデータ領域を解放し、モノクロ用の付加画像印刷データを保持しているデータ領域を除く全領域を使用させ、モノクロ用を生成する場合は、モノクロ用の付加画像印刷データを保持しているデータ領域を解放し、カラー用の付加画像印刷データを保持しているデータ領域を除く全領域を使用させることを特徴とする請求項１〜３の何れか１項に記載の印刷制御装置。
【請求項５】
プリンタ、コピー、ファクシミリ及びスキャナの機能を備えた画像形成装置であって、
前記請求項１〜４の何れかに記載の印刷制御装置を含み、前記印刷制御装置における前記印刷装置として画像形成部を備えたことを特徴とする画像形成装置。
【請求項６】
印刷制御プログラムであって、コンピュータを請求項１ないし４のいずれか１項に記載の印刷制御装置の各手段として機能させる印刷制御プログラム。
【請求項７】
請求項６に記載の印刷制御プログラムを記録したコンピュータ読み取り可能な記録媒体。
【発明の詳細な説明】
【技術分野】
【０００１】
本発明は、プリンタ等の印刷装置に対し、記録用紙上に印刷される印刷対象画像にウォーターマーク等の付加画像を合成して印刷させる印刷制御装置、及びそれを備えるデジタル複合機等の画像形成装置に関するものである。
【背景技術】
【０００２】
用紙上に印刷される印刷対象画像にウォーターマーク等の付加画像が合成された印刷データを生成し、印刷装置に出力して印刷させる印刷制御装置がある（例えば、特許文献１）。
【０００３】
このような印刷制御装置では、付加画像の画像データに画像処理を施して付加画像印刷データを生成し、これを印刷対象画像の印刷データに合成したものを、印刷装置に出力している。
【０００４】
付加画像印刷データの生成を、印刷対象画像の印刷データの生成毎にその都度行う構成では、付加画像印刷データの生成にかかる時間のために、付加画像を合成しない通常印刷よりも、印刷速度が低下するといった問題がある。
【０００５】
そこで、従来、付加画像印刷データを一時保持する保持メモリを設け、同じ付加画像印刷データであれば、付加画像印刷データの生成を行わず、保持されているデータを利用することが行われている。
【０００６】
付加画像印刷データを一時保持する保持メモリについて記載されている特許文献としては、例えば、特許文献２を上げることができる。
【特許文献１】特開２００６−１３６２７号公報（公開日：２００６年１月１２日）
【特許文献２】特開２００４−２０１２０５号公報（公開日：２００４年７月１５日）
【発明の開示】
【発明が解決しようとする課題】
【０００７】
しかしながら、従来の付加画像印刷データを一時保持する保持メモリを設けた構成であっても、カラー頁とモノクロ頁とが混載されている混載印刷において、付加画像を合成する場合に、印刷速度が低下するといった問題がある。
【０００８】
つまり、１つの印刷ジョブにおいては、各頁の画像（印刷対象画像）に合成される付加画像は同じであるが、印刷対象画像がカラーである場合と、モノクロである場合とでは、付加画像が同じ画像であっても、付加画像印刷データは別に作る必要があり、カラー用の付加画像印刷データとモノクロ用の付加画像印刷データとが生成される。
【０００９】
ところが、従来の構成では、保持メモリには、カラー用又はモノクロ用の何れか一方しか保持できない。そのため、図８のように、カラー頁とモノクロ頁とが混載した混載印刷に付加画像を合成する場合、頁の画像（印刷対象画像）が、カラーからモノクロ、モノクロからカラーへ切り換わる度に、付加画像印刷データを生成することが必要となる。そのため、保持メモリを設けた構成であっても、印刷速度が低下する。
【００１０】
本発明は、上記課題に鑑み成されたもので、その目的は、ウォーターマーク等の付加画像を印刷対象画像に合成し印刷処理する場合に、たとえカラー頁とモノクロ頁とが混載した混載印刷であっても、付加画像印刷データを一時的に保持する保持メモリを、そのメモリ容量内で効率よく利用し、印刷速度の低下を極力抑えて、印刷装置の有するパフォーマンスを最大限発揮できる印刷制御装置を提供することにある。
【課題を解決するための手段】
【００１１】
本発明に係る第１の印刷制御装置は、上記課題を解決するために、画像データを入力させる入力手段と、入力された印刷対象画像の画像データから印刷対象画像印刷データを生成する第１データ生成手段と、前記印刷対象画像に合成する付加画像の画像データから、当該印刷対象画像のカラー情報に応じて、カラー用の付加画像印刷データ或いはモノクロ用の付加画像印刷データを生成する第２データ生成手段と、前記付加画像印刷データを一時的に保持する保持領域を有する保持メモリと、前記印刷対象画像印刷データに何れか所定の方の前記付加画像印刷データを合成して出力用印刷データを作成するものであって、合成時に前記保持領域に合成すべき付加画像印刷データが保持されている場合は、保持されている付加画像印刷データを用いる印刷データ合成手段と、前記出力用印刷データを印刷装置へと出力する出力手段とを備えた印刷制御装置において、前記保持メモリを制御する保持メモリ制御手段を備え、該保持メモリ制御手段は、前記付加画像印刷データがカラー用である場合は、前記保持領域の上端或いは下端の何れか一方の端側からデータを格納して保持させ、モノクロ用であれば前記保持領域の他端側からデータを格納して保持させることを特徴としている。
【００１２】
上記構成によれば、保持メモリの保持領域には、カラー用の付加画像印刷データとモノクロ用の付加画像印刷データとの両方が保持されるので、カラー頁とモノクロ頁との混載印刷の場合でも、速度低下なく印刷することができる。
【００１３】
しかも、保持メモリ制御手段は、付加画像印刷データがカラー用である場合は、保持領域の上端或いは下端の何れか一方の端側からデータを格納して保持させ、モノクロ用であれば保持領域の他端側からデータを格納して保持させる。なお、上端とは、保持領域に付されている初段であり、下端とは最終段のことである。
【００１４】
したがって、例えば、保持領域の初段から所定の段まではカラー用、前記所定の段から最終段まではモノクロ用というように格納位置を設定するよりも、カラー用、或いはモノクロ用単独にて保持領域全域を使用することも可能となり、保持領域を有効に利用して、よりデータ量の多い付加画像印刷データも格納できる。
【００１５】
ところで、記録用紙サイズによって、付加画像印刷データの一時保持に必要な保持領域の大きさは異なり、最大用紙サイズに対応したカラー用とモノクロ用の各付加画像印刷データの両方を保持できるように構成した場合、メモリ容量が大きくなり、コストも高くなる。また、記録用紙サイズは同じであっても、印刷解像度が高精度化されるに従い、付加画像印刷データのデータ量はますます大きくなる傾向にある。そのため、たとえ、最大用紙サイズに対応したカラー用とモノクロ用の各付加画像印刷データの両方を保持できるように設計した保持メモリであっても、印刷解像度が高精度化された場合には、対応できなくなる虞がある。
【００１６】
そこで、本発明に係る印刷制御装置は、さらに、前記保持メモリ制御手段は、付加画像印刷データを前記保持領域の上端側或いは下端側から格納して保持するにおいて、既に他端側から格納された付加画像印刷データを保持しているデータ領域に重ねて保持させる必要がある場合は、他端側から格納されたデータを保持しているデータ領域を解放して、保持を可能にする構成とすることが好ましい。
【００１７】
これにより、保持メモリのメモリ容量を、最大用紙サイズに対応したカラー用とモノクロ用の各付加画像印刷データの両方を保持できるようなメモリ容量としなくても、例えば、印刷装置にて使用できる記録用紙の基本サイズに対応したカラー用とモノクロ用の各付加画像印刷データの両方を保持可能であり、かつ、前記記録用紙の最大サイズに対応した付加画像印刷データのよりデータ量の大きいカラー用を単独保持できる程度のメモリ容量に設定することで、カラー用、モノクロ用の両方を保持できる場合は保持し、保持できない場合は何れか一方のみを保持するといった、柔軟な対応が可能となり、保持メモリのメモリ容量に見合った付加画像印刷データの一時保存を行うことができる。
【００１８】
また、本発明に係る印刷制御装置は、さらに、前記第２データ生成手段が、カラー用、モノクロ用それぞれの付加画像印刷データの生成に要する生成所要時間を計測する計測手段を備え、前記保持メモリ制御手段は、前記付加画像印刷データを前記保持領域の上端側或いは下端側から格納して保持するにおいて、既に他端側から格納されたデータを保持しているデータ領域に重ねて保持させる必要がある場合は、前記計測手段にて計測されたカラー用、モノクロ用それぞれの生成所要時間を比較し、保持しようとする付加画像印刷データが生成所要時間の長い方であれば、他端側から格納された付加画像印刷データを保持しているデータ領域を解放して、保持を可能にする一方、保持しようとする付加画像印刷データが生成所要時間の短い方であれば、保持を行わない構成とすることもできる。
【００１９】
これによれば、カラー用とモノクロ用とで、付加画像印刷データを生成する時間を比較し、既に他端側から格納された付加画像印刷データを保持しているデータ領域に重ねて保持させる必要がある場合には、生成所要時間の長い方の保持を優先させるので、必ず他方側から格納された付加画像印刷データのデータ領域を解放する構成よりも、付加画像印刷データを生成する時間を短くすることができる。これにより、印刷制御装置におけるハードウェアやソフト処理にかかる負荷を軽減することができる。
【００２０】
例えば、本発明の印刷制御装置がデジタル複合機に搭載され、印刷ジョブ（コピージョブ）と共に、ＦＡＸ送信ジョブなどのデュアルジョブを行う場合、付加画像印刷データを生成するために、第２印刷データ生成手段を使用するジョブリソースが増え、第２印刷データ生成手段のリソース待ちにより速度低下することがあるが、これにより、デュアルジョブなどの動作時にも速度低下を軽減することができる。
【００２１】
本発明に係る印刷制御装置は、さらに、前記第２データ生成手段は、前記保持領域をワークエリアとして使用し、前記保持メモリ制御手段は、前記第２データ生成手段が付加画像印刷データを生成するワークエリアとして前記保持領域を使用させ、カラー用を生成する場合は、カラー用の付加画像印刷データを保持しているデータ領域を解放し、モノクロ用の付加画像印刷データを保持しているデータ領域を除く全領域を使用させ、モノクロ用を生成する場合は、モノクロ用の付加画像印刷データを保持しているデータ領域を解放し、カラー用の付加画像印刷データを保持しているデータ領域を除く全領域を使用させる構成とすることもできる。
【００２２】
第１データ生成手段の動作中に第２データ生成手段を随時動作させることで、印刷速度の低下を抑制することができる。しかしながら、随時動作させるためには、第１データ生成手段が使用するワークエリアと、第２データ生成手段が使用するワークエリアの両方を確保する必要である。なお、これらワークエリアは、保持メモリとは別のメモリ（ワークメモリ）に確保される。
【００２３】
一方、本発明に係る印刷制御装置では、保持領域の上端側、下端側から付加画像印刷データを格納していくため、空き領域は保持領域の中央部に位置し、上端側から格納された付加画像印刷データのデータ領域とも、下端側から格納された付加画像印刷データのデータ領域とも、連続した領域を形成できる。
【００２４】
上記構成では、この連続した領域を、第２データ生成手段の使用するワークエリアとして利用する。カラー用の付加画像印刷データの生成においては、保持領域における、他端側から保持しているモノクロ用のデータ領域を除く全領域をワークエリアとして使用し、カラー用の付加画像印刷データが生成されると、これを格納する。同様に、モノクロ用の付加画像印刷データの生成においては、保持領域における、他端側から保持しているカラー用のデータ領域を除く全領域をワークエリアとして使用し、モノクロ用の付加画像印刷データが生成されると、これを格納する。
【００２５】
これにより、ワークメモリに確保されるワークエリアは、第１データ生成手段が使用する分のみですみ、ワークメモリに必要とされるメモリ容量を最小にしながら、印刷速度の低下を抑制することができる。
【００２６】
また、本発明にかかるデジタル複合機は、上記課題を解決するために、前記した本発明の印刷制御装置を含み、前記印刷制御装置における前記印刷装置として画像形成部を備えたことを特徴としている。
【００２７】
上述したように、印刷ジョブ（コピージョブ）と共に、ＦＡＸ送信ジョブなどのデュアルジョブを行うことがある。このようなデュアルジョブを行う場合、付加画像印刷データを生成するために、第２印刷データ生成手段を使用するジョブリソースが増え、第２印刷データ生成手段のリソース待ちにより速度低下することがあるが、本発明の印刷制御装置の構成を採用することで、既に説明したように、デュアルジョブなどの動作時にも速度低下を軽減することができる。
【００２８】
また、本発明の印刷制御装置は、コンピュータによって実現してもよく、この場合には、コンピュータを上記各手段として動作させることにより上記印刷制御装置をコンピュータにて実現させる印刷制御プログラムも本発明の範疇に入り、また、該制御プログラムを記録したコンピュータ読み取り可能な記録媒体も、本発明の範疇に入る。
【発明の効果】
【００２９】
以上のように、本発明によれば、ウォーターマーク等の付加画像を印刷対象画像に合成し印刷処理する場合に、たとえカラー頁とモノクロ頁とが混載した混載印刷であっても、付加画像印刷データを一時的に保持する保持メモリを、そのメモリ容量内で効率よく利用し、印刷速度の低下を極力抑えて、印刷装置の有するパフォーマンスを最大限発揮できる。
【００３０】
また、印刷ジョブ（コピージョブ）と共に、ＦＡＸ送信ジョブなどのデュアルジョブが行われるような場合でも、付加画像印刷データを生成するために、第２印刷データ生成手段を使用するジョブリソースが増え、第２印刷データ生成手段のリソース待ちにより印刷速度が低下するようなことなく、デュアルジョブなどの動作時にも印刷速度の低下を軽減することができる。
【発明を実施するための最良の形態】
【００３１】
〔実施の形態１〕
本発明の一実施形態について図１ないし図５基づいて説明すると以下の通りである。
【００３２】
図２は、本実施形態であるデジタル複合機（画像形成装置）の制御系の構成を示すブロック図である。デジタル複合機は、外部端末９と、印刷制御装置１０と、印刷装置２０を備えている。デジタル複合機の場合、外部端末９がスキャナに相当し、印刷装置２０が、電子写真方式やインクジェット方式を採用した画像形成部に相当する。なお、図２では、デジタル複合機が有するプリンタ、コピー、ファクシミリ及びスキャナの機能のうち、印刷に関する部分のみを記載している。
【００３３】
印刷制御装置１０は、ＣＰＵ、ＲＯＭ、ＲＡＭよりなる制御部１１を備えており、ＣＰＵがＲＯＭに予め格納された制御プログラムを読込んで実行することにより、バス（不図示）を介して接続された各種ハードウェアを制御し、全体として本発明に係る印刷制御装置として動作させるものである。制御部１１が、本発明における保持メモリ制御手段の機能を有する。
【００３４】
印刷制御装置１０は、制御部１１のほか、入力部１２、メモリ１３、画像処理部１４、画像回転部１５、画像合成部１６、ＨＤＤ１７、圧縮伸張部１８、出力部１９、生成時間計測部２１を備えている。
【００３５】
図３、図４のフローチャートを参照しながら、印刷制御装置１０の各部の機能を説明する。入力部１２は、スキャナ等の外部端末９から入力される印刷対象画像の画像データを受付けるものである。入力部１２に入力される印刷対象画像の画像データは、ＲＧＢデータなどからなる。入力部１２より、後述する付加画像の画像データを入力させることも可能である。
【００３６】
メモリ１３は、各種処理に用いられるワークメモリ１３ａと、付加画像印刷データを一時的に保持する保持メモリ１３ｂとを有している。
【００３７】
画像処理部（第１データ生成手段、第２データ生成手段）１４は、入力部１２より入力された印刷対象画像の画像データ（ＲＧＢデータ）を読み出し、前段画像処理を施すものである。画像処理部１４、入力部１２より入力された画像データに対し、前段画像処理として、シェーディング補正、センサ色補正部、ＭＴＦ補正、γ補正、領域分離処理等の画像処理を施す。
【００３８】
画像回転部（第１データ生成手段、第２データ生成手段）１２は、前段画像処理が施された印刷対象画像の画像データに対し、必要に応じて画像回転処理を施すものである。
【００３９】
入力部１２より入力された画像データは、画像処理部１４、画像回転部１５を経て、画像データと、文字や絵などの領域を分離した画像情報データとに分離される。
【００４０】
圧縮伸張部１８は、画像処理部１４、画像回転部１５にて処理が施された印刷対象画像の画像データを、ＪＰＥＧ圧縮等の圧縮技術を用いて圧縮するものである。ＨＤＤ１７は、圧縮データを、一旦保存するものである。
【００４１】
図３のフローチャートに、入力部１２から入力された印刷対象画像の画像データに前段画像処理を施し、圧縮してＨＤＤ１７に保存するまでの処理を示す。
【００４２】
入力部１２から入力された印刷対象画像の画像データは、画像処理部１４にて前段画像処理され、画像回転部１５にて画像回転処理が行われる（Ｓ１）。次に、圧縮伸張部１８にて画像データが圧縮され（Ｓ２）、ＨＤＤ１７に保存される。なお、画像処理部１４、画像回転部１５、及び圧縮伸張部１８は、Ｓ１、Ｓ２の各種処理において、ワークメモリ１３ａを使用する。
【００４３】
一方、圧縮伸張部１８は、ＨＤＤ１７から読み出された圧縮データを伸張するものでもある。そして、前記画像処理部１４は、伸張された画像データに対し、色補正処理、黒生成／下色除去処理、空間フィルタ処理、平滑化処理、中間調生成処理等の後段画像処理を施すものでもあり、画像回転部１５も、画像処理部１４が後段画像処理を施した印刷データに対して、必要に応じてさらに画像回転処理を施すものでもある。
【００４４】
後段画像処理が施されることで、伸張されたＲＧＢデータである画像データは、印刷装置２０の状態に適応し、印刷装置２０が扱うことのできるＣＭＹＫデータの印刷データが生成される。
【００４５】
出力部１９は、画像処理部１４、画像回転部１５にて、処理された印刷データを、印刷装置２０に対して出力するものである。ウォーターマークなど付加画像の合成処理が必要ない場合は、ＣＭＹＫデータに変換された印刷対象画像の印刷データは、この時点で出力部１９より印刷装置２０へ送られ、印刷装置２０にて印刷処理が行われる。
【００４６】
一方、ウォーターマークなど付加画像の合成処理が必要な場合は、画像合成部（印刷データ合成手段）１７にて、印刷対象画像の印刷データに、付加画像印刷データを合成する合成処理が行われる。
【００４７】
付加画像は、例えば、ＨＤＤ１７に予め格納されており、操作パネル（図示せず）等を用いてユーザが選択することができる。付加画像の画像データはＲＧＢデータであり、ワークメモリ１３ａに取り込まれて、画像処理部１４にて後段画像処理が施され、印刷装置２０に状態に適応し、印刷装置２０が扱うことのできるＹＭＣＫデータの印刷データが生成される。画像回転部１５においても、必要に応じて画像回転処理が行われる。
【００４８】
なお、付加画像は、図示しない通信部を介して、外部の情報処理装置より送られてくる構成であっても、外部端末９を用いて、ユーザ自らが印刷対象画像と同じ手順で、印刷制御装置１０に読み取らせることも可能である。
【００４９】
画像合成部１７は、このように生成された付加画像印刷データと、印刷対象画像の印刷データとを合成するものである。
【００５０】
図４のフローチャートに、印刷対象画像に付加画像を付けて画像出力する際の、印刷対象画像の印刷データをＨＤＤ１７から読み出し、画像出力するまでの処理を示す。
【００５１】
印刷対象画像の圧縮データをＨＤＤ１７からワークエリア１３ａに取り込み（Ｓ１１）、圧縮伸張部１８にて伸張し（Ｓ１２）、画像処理部１４、画像回転部１５にて、後段画像処理、画像回転処理が施される（Ｓ１３）。これにて、印刷対象画像の印刷データが生成される。
【００５２】
一方、付加画像を合成する必要がある場合は、まず、保持メモリ１３ｂに対応する付加画像印刷データが保持されているかどうかを判断する。保存されている場合は、ＨＤＤ１７から読み出した付加画像の画像データと、保持メモリ１３ｂ内の付加画像印刷データとが同じかどうか、画像パターン、色、回転方向、用紙サイズなどで判定する。画像パターンや色、回転方向など同じであれば、Ｓ２０に進み、保持メモリ１３ｂ内に一時保持されている付加画像印刷データを読み出す。
【００５３】
一方、何も保持されていな場合や、画像パターンや色、回転方向などが違っている場合は、Ｓ１５に進む。
【００５４】
Ｓ１５では、ＨＤＤ１７から付加画像の画像データをワークエリア１３ａに取り込み（Ｓ１５）、画像処理部１４、画像回転部１５にて、後段画像処理、画像回転処理が施される（Ｓ１６）。これにて、付加画像印刷データが生成される。
【００５５】
Ｓ２０、Ｓ１６からは、Ｓ１８に進み、画像合成部１６が、印刷対象画像の印刷データと、Ｓ２０にて保持メモリ１３ｂから読み出した付加画像印刷データ、或いはＳ１６で生成した付加画像印刷データとを合成し（Ｓ１８）、出力部１９が印刷装置２０へと出力する（Ｓ１９）。
【００５６】
ＨＤＤ１７から読み出したデータを、出力部１９を介して出力するまでのＳ１１〜Ｓ１８までの各処理において、画像処理部１４、画像回転部１５、圧縮伸張部１８及び画像合成部１６は、ワークメモリ１３ａを使用する。
【００５７】
また、Ｓ１６で生成された付加画像印刷データは、Ｓ１８における画像合成処理と同時に、ワークメモリ１３ａからエリア保存メモリ１３ｂに転送し、保持メモリ１３ｂにて一時保存させる（Ｓ１８）。保持メモリ１３ｂに保持される印刷データには、付加画像の種類や回転角、色、濃度などの情報も同時に保持しおく。
【００５８】
以下、この保持メモリ１３ｂに付加画像印刷データを一時保存する場合に、制御部１１がメモリ１３に対して実施する書込み制御について詳細に説明する。
【００５９】
まずは、図５を用いて、本願出願人が最初に考え出した、本発明の前提となる書込み制御について説明する。
【００６０】
〔発明が解決しようとする課題〕の項においても説明したように、保持メモリに、カラー用又はモノクロ用の何れか一方しか保持できない構成では、図７のように、カラー頁とモノクロ頁とが混載した混載印刷に付加画像を合成する場合に、頁の画像（印刷対象画像）が、カラーからモノクロ、モノクロからカラーへ切り換わる度に、付加画像印刷データを生成することが必要となる。
【００６１】
そこで、本願出願人は、保持メモリ１３ｂに、カラー用及びモノクロ用の両方の付加画像印刷データを保持させ、印刷対象画像のカラー情報に応じて、保持された２つの付加画像印刷データの何れかを読み出し、印刷対象画像の印刷データに合成する構成を採用した。これによれば、カラー用、モノクロ用の付加画像印刷データをそれぞれ１度生成するだけですみ、印刷ジョブが完了するまで、保持した付加画像印刷データを使いまわすことができる。
【００６２】
図５（ａ）図５（ｂ）に、本発明の前提となる書込み制御で書き込まれた保持メモリ１１３ｂを示す。図５（ａ）は、付加画像を付ける印刷ジョブにおいて、印刷装置２０が扱う基本サイズＡ４のカラー頁とモノクロ頁とが混載している場合の、保持メモリ１１３ｂにおける保持領域のデータ保持状態を示している。ここでは、保持メモリ１１３ｂの保持領域における、初段（上端）から矢印Ａにて示す下側の所定の段までを、カラー用の付加画像印刷データの格納領域とし、矢印Ａにて示す下側の所定の段から最終段（下端）までを、モノクロ用の付加画像印刷データの格納領域としている。
【００６３】
カラー用の付加画像印刷データは、保持メモリ１１３ｂの初段から順に格納され、モノクロ用の付加画像印刷データは、保持メモリ１１３ｂの矢印Ａにて示す所定の段から順に格納される。
【００６４】
一方、図５（ｂ）は、付加画像を付ける印刷ジョブにおいて、印刷装置２０が扱う最大サイズＡ３のカラー頁とモノクロ頁とが混載している場合の、保持メモリ１１３ｂにおける保持領域のデータ保持状態を示している。
【００６５】
図５（ｂ）においても、保持メモリ１１３ｂにおける初段から順に格納され、モノクロ用の付加画像印刷データは、保持メモリ１１３ｂの矢印Ａにて示す所定の段から順に格納されている。
【００６６】
そして、図５（ｂ）よりわかるように、保持メモリ１１３ｂのメモリ容量（保持領域のサイズ）は、最大サイズＡ３において、カラー用とモノクロ用の両方の付加画像印刷データを保持できる大きさに設定されている。
【００６７】
これにより、基本サイズのＡ４はもちろんのこと、最大サイズＡ３のカラー頁とモノクロ頁とが混載している混載印刷であっても、付加画像印刷データの生成に起因する印刷速度の低下を回避できる。
【００６８】
なお、図５（ａ）図５（ａ）に示す付加画像用ワークエリアは、付加画像印刷データを作るために使用される、ワークメモリ上の領域を示している。
【００６９】
しかしながら、印刷解像度の高精度化に伴い、付加画像印刷データのデータ量が増え、最大サイズＡ３に対応したカラー用及びモノクロ用の両方の付加画像印刷データを保持するには、より大きな保持メモリ１３ｂが必要となってきている。そのため、この構成で、印刷解像度の高精度化に対応するためには、保持メモリ１１３ｂのメモリ容量を大きくするなど、コストアップが避けられないことが判明した。
【００７０】
そこで、本願出願人は、保持メモリにカラー用及びモノクロ用の両方の付加画像印刷データを保持して、カラー頁とモノクロ頁とが混載している混載印刷ジョブであっても、速度低下を回避するといった、基本的な技術思想は変えることこなく、より効果的に、保持メモリを使用して、コストアップを伴うことなく、印刷速度の低下を抑制できる保持メモリの書込み制御を提案するに至った。
【００７１】
即ち、本実施形態の印刷制御装置１０では、制御部１１は、保持メモリ１３ｂの保持領域の書込みを制御し、保持メモリ１３ｂに付加画像印刷データを一時保持させるにあたり、カラー用であれば、保持領域の初段から最終段に向って格納していき、モノクロ用であれば、最終段から初段に向って格納していく構成とした。もちろん、逆に、モノクロ用であれば、保持領域の初段から最終段に向って格納していき、カラー用であれば、最終段から初段に向って格納していく構成としてもよい。
【００７２】
図１（ａ）〜図１（ｃ）に、本発明の書込み制御で書き込まれた保持メモリ１３ｂを示す。図１（ａ）は、印刷装置２０が扱う基本サイズＡ４のカラー頁とモノクロ頁とが混載している場合の、保持メモリ１３ｂにおける保持領域のデータ保持状態を示している。矢印Ｘは、カラー用の付加画像印刷データを格納していく方向を示しており、矢印Ｙはモノクロ用の付加画像印刷デーを格納していく方向を示している。Ａ４サイズの場合、カラー用とモノクロ用の両方の付加画像印刷データを保持することができる。
【００７３】
一方、図１（ｂ）は、印刷装置２０が扱う最大サイズＡ３のカラー頁とモノクロ頁とが混載している場合の、保持メモリ１３ｂにおける保持領域のデータ保持状態を示している。最大サイズＡ３の場合、保持メモリ１３ｂに保持される付加画像印刷データは、カラー用或いはモノクロ用の何れか一方となる。
【００７４】
図１（ｃ）は、印刷装置２０が扱う基本サイズＡ４よりもさらに小さいＡ５のカラー頁とモノクロ頁とが混載している場合の、保持メモリ１３ｂにおける保持領域のデータ保持状態を示している。Ａ５サイズも、カラー用とモノクロ用の両方の付加画像印刷データを保持することができる。
【００７５】
そして、図１（ａ）〜図１（ｃ）よりわかるように、本実施形態では、保持メモリ１３ｂのメモリ容量は、基本サイズのＡ４サイズにおいて、カラー用とモノクロ用の両方の付加画像印刷データを保持することができる大きさであって、最大サイズであるＡ３のカラー用の付加画像印刷データを保持し得る大きさに設定されている。
【００７６】
したがって、Ａ４，Ａ５などの場合は、保持領域の上端及び下端からそれぞれ、カラー用及びモノクロ用の両方の付加画像印刷データを保持することがで、カラー頁とモノクロ頁との混載印刷の場合でも、速度低下なく印刷することができる。
【００７７】
一方、Ａ３の場合は、例えばモノクロ用の付加画像印刷データを保持している状態で、カラー用の付加画像印刷データを保持する場合は、モノクロ用の付加画像印刷データを保持しているデータ領域を解放して、カラー用の付加画像印刷データを保持することとなる。逆に、カラー用の付加画像印刷データを保持している状態で、モノクロ用を保持する場合は、カラー用の付加画像印刷データを保持しているデータ領域を解放して、モノクロ用の付加画像印刷データを保持することとなる。
【００７８】
この場合、印刷対象画像が、カラー用からモノクロ用、モノクロ用からカラー用へと切り換わる場合には、図８に示したように、モノクロ用の付加画像印刷データ、カラー用の付加画像印刷データを生成することが必要となるため、一見、印刷速度の低下を招くように思える。
【００７９】
しかしながら、Ａ３サイズはＡ４に比べてもともと印刷速度が低く、たとえ付加画像印刷データを毎回生成したとしても、速度低下は起こらない、或いは起こったとしも、印刷装置２０のパフォーマンスを大きく低下させるほどの遅れにはならない。本願出願人は、この点に着目して、本発明を行った。
【００８０】
例を挙げて説明すると、あるシステムにおいては、図４における、Ｓ１１の圧縮データ読込からＳ１３の印刷対象画像の印刷データ生成までの所要時間をＴ、Ｓ１５の付加画像読込から付加画像印刷データ生成までの所要時間をＺ、１枚印刷するための間隔時間をＲとすると、Ａ４サイズを１分間に５０枚印刷処理する５０枚機の場合、Ａ４，Ａ３におけるＴ、Ｚ、Ｒは以下のようになる。
【００８１】
Ａ４：50cpmで印刷：Ｔ   604msec，Ｚ   790msec，Ｒ  1200msec
Ａ３：25cpmで印刷：Ｔ  1209msec，Ｚ  1130msec，Ｒ  2727msec
Ａ４の場合は、Ｔ＋Ｚ＝1394msec (43cpm）＞Ｒとなり、Ａ４の付加画像印刷データを毎回生成して合成すると、43cpmの速度にしかならない。つまり、１分間に５０枚の印刷が可能なパフォーマンスを有していながら、付加画像を付すが故に、１分間に４３枚しか印刷できないこととなる。これは換言すると、Ａ４の場合は、付加画像印刷データを必ず、一時保持しなければ、50cpmを実現できないということである。
【００８２】
一方、Ａ３の場合は、Ｔ＋Ｚ＝2339msec (25cpm) ＜Ｒとなり、Ａ３の付加画像印刷データを毎回生成して合成しても、25cpmの速度は可能である。そのため、Ａ３の場合は、付加画像印刷データを必ず一時保存する必要はなく、付加画像印刷データを毎回生成しても印刷速度の低下にはならない。
【００８３】
但し、付加画像印刷データを生成することで、画像処理部１４が使用されるため、付加画像を付ける印刷ジョブ中に、ＦＡＸ送信などのデュアル操作を行うと、画像処理部１４を使用するジョブリソースが増え、画像処理部１４のリソース待ちにより速度低下することがある。そのため、付加画像印刷データは、一時保存することが好ましい。
【００８４】
また、制御部１１は、図１（ｂ）のＡ３の場合のように、保持メモリ１３ｂの上端或いは下端から付加画像印刷データを保持させるにあたり、既に他端から格納された付加画像印刷データを保持しているデータ領域に重ねて保持させる必要がある場合は、他方側から保持した付加画像印刷データを保持しているデータ領域を解放するようになっている。
【００８５】
これにより、保持メモリ１３ｂの保持領域のメモリ容量を、最大のＡ３サイズの付加画像印刷データをカラー用とモノクロ用の両方を保持できるようなメモリ容量としなくても、Ａ４，Ａ５など、付加画像印刷データをカラー用とモノクロ用の両方保持できる場合は保持し、Ａ３など、両方を保持できない場合は何れか一方のみを保持するといった、柔軟な対応が可能となり、保持メモリ１３Ｂのメモリ容量に見合った付加画像印刷データの一時保存を行うことができる。
【００８６】
そして、特に、本実施形態においては、印刷制御装置１０には、図２に示すように、生成時間計測部２１が設けられており、制御部１１は、既に他端側から格納された付加画像印刷データを保持しているデータ領域に重ねて保持させる必要がある場合は、計測されたカラー用、モノクロ用それぞれの生成所要時間を比較し、長いほうの付加画像印刷データを優先的に保持するようになっている。
【００８７】
これについて、より詳細に説明する。生成時間計測部２１は、カラー用、モノクロ用それぞれの付加画像印刷データの生成に要する生成所要時間を計測するものである。制御部１１は、付加画像印刷データを保持領域の上端側或いは下端側から格納して保持するにおいて、既に他端側から格納された付加画像印刷データを保持しているデータ領域に重ねて保持させる必要がある場合は、生成時間計測部２１にて計測されたカラー用、モノクロ用それぞれの生成所要時間を比較する。そして、保持しようとする付加画像印刷データが生成所要時間の長い方であれば、他端側から格納された付加画像印刷データを保持しているデータ領域を解放して、保持を可能にする。一方、保持しようとする付加画像印刷データが生成所要時間の短い方であれば、付加画像印刷データの保持を行わない。
【００８８】
これによれば、生成所要時間の長い方の保持が優先されるので、必ず他方側から格納された付加画像印刷データのデータ領域を解放する構成よりも、付加画像印刷データを生成する時間を短くすることができる。
【００８９】
これにより、印刷制御装置におけるハードウェアやソフト処理にかかる負荷を軽減することができる。上述したように、印刷ジョブ（コピージョブ）と共に、ＦＡＸ送信ジョブなどのデュアルジョブを行う場合、付加画像印刷データを生成するために、画像処理部１４を使用するジョブリソースが増え、画像処理部１４のリソース待ちにより印刷速度が低下することがあるが、これにより、デュアルジョブなどの動作時にも印刷速度の低下を軽減することができる。
【００９０】
〔実施の形態２〕
本発明のその他の実施形態について図６、図７に基づいて説明すると以下の通りである。なお、説明の便宜上、実施の形態１で用いた部材と同じ機能を有する部材には同じ符号を付して説明を省略し、実施の形態１と異なる点のみ説明する。
【００９１】
図６（ａ）〜図６（ｃ）に、本発明の書込み制御で書き込まれた保持メモリ１３ｂ’を示す。図６（ａ）は、印刷装置２０が扱う基本サイズＡ４のカラー頁とモノクロ頁とが混載している場合の、保持メモリ１３ｂにおける保持領域のデータ保持状態を示している。Ａ４サイズの場合、カラー用とモノクロ用の両方の付加画像印刷データを保持することができる。
【００９２】
図６（ｂ）は、印刷装置２０が扱う最大サイズＡ３のカラー頁とモノクロ頁とが混載している場合の、保持メモリ１３ｂにおける保持領域のデータ保持状態を示している。最大サイズＡ３の場合、保持メモリ１３ｂに保持される付加画像印刷データは、カラー用或いはモノクロ用の何れか一方となる。
【００９３】
図６（ｃ）は、印刷装置２０が扱う基本サイズＡ４よりもさらに小さいＡ５のカラー頁とモノクロ頁とが混載している場合の、保持メモリ１３ｂにおける保持領域のデータ保持状態を示している。Ａ５サイズも、カラー用とモノクロ用の両方の付加画像印刷データを保持することができる。
【００９４】
なお、ここまでは、実施の形態１の、付加画像印刷データの保持の仕方と同じである。異なるのは、保持メモリ１３ｂを付加画像印刷データを生成するためのワークエリアとしても利用する点である。
【００９５】
つまり、保持領域の上端側、下端側から付加画像印刷データを格納していくことにより、空き領域は保持領域の中央部に位置し、上端側から格納された付加画像印刷データの領域とも、下端側から格納された付加画像印刷データの領域とも、連続した領域を形成できる。本願出願人は、この点に着目し、付加画像印刷データを生成するためのワークエリアとしても利用することとした。
【００９６】
即ち、本実施形態の印刷制御装置１０においては、画像処理部１４が保持メモリ１３ｂ’の保持領域を付加画像印刷データ生成のためのワークエリアとして使用する。そして、制御部１１は、画像処理部１４が、後段画像処理増処理を施して付加画像印刷データを生成するワークエリアとして、保持メモリ１３ｂ’の保持領域を使用させ、カラー用を生成する場合は、カラー用の付加画像印刷データを保持しているデータ領域を解放し、モノクロ用の付加画像印刷データを保持しているデータ領域を除いて使用させ、カラー用の付加画像印刷データが生成されると、これを保持領域の初段より格納して保持する。一方、モノクロ用を生成する場合は、モノクロ用の付加画像印刷データを保持しているデータ領域を解放し、カラー用の付加画像印刷データを保持しているデータ領域を除いて使用させ、モノクロ用の付加画像印刷データが生成されると、これを保持領域の最終段より格納して保持する。
【００９７】
ＨＤＤ１７からワークメモリ１３ａに読み込まれた印刷対象画像の画像データに対し、圧縮伸張部１８が伸張を施し、画像処理部１４が後段画像処理を施し、画像回転部１５が画像回転処理を施し、これにより、印刷対象画像印刷データが生成される。また、画像処理部１４、画像回転部１５は、付加画像印刷データの生成にも使用される。
【００９８】
画像処理部１４にて後段画像処理が施された印刷対象画像の印刷データに対し、画像回転部１５が画像回転処理を行っている間に、画像処理部１４にて付加画像の画像データに対する後段画像処理を実施させようとすると、付加画像の画像処理を行うワークエリアが必要となる。
【００９９】
つまり、ワークメモリにおいて、印刷対象画像の画像回転処理のためのワークエリアと、付加画像の画像処理を行うワークエリアとが両方同時に必要となる。ワークエリアの広さは、処理速度に影響するため、２つの処理にて領域を分け合って用いると処理速度が必然的に遅くなる。一方、２つの処理にて領域を分けあっても、十分速い処理時間を確保しようとすると、ワークメモリのメモリ容量が増大する。
【０１００】
上記構成によれば、このような付加画像印刷データを生成するためのワークエリアを、ワークメモリではなく、保持メモリにもつ構成としているので、ワークメモリのメモリ容量をその分小さくすることができる。
【０１０１】
これにより、印刷対象画像印刷データの生成と、付加画像印刷データの生成とを並行して行うことによる印刷速度の低減を、ワークメモリのメモリ容量を最小としながら実現できる。
【０１０２】
図７（ａ）〜図７（ｆ）に、保持メモリ１３ｂ’を、１５０ＭＢに設定した場合の、保持メモリ１３’のメモリ使用量を、概念的に示す。図７（ａ）は、Ａ４のカラー用及びモノクロ用の両方の付加画像印刷データが保持された場合のメモリ概念図である。
【０１０３】
図７（ｂ）は、図７（ａ）から、他の付加画像の、カラー用の生成要求がきた場合のメモリ概念図である。カラー用の付加画像印刷データを保持しているデータ領域を解放して、モノクロ用の付加画像印刷データを残したまま、すべての保持領域を、ワークエリアとして使用する。なお、付加画像の画像データ（ＲＧＢデータ）より生成するため、Ａ４では最大１０２ＭＢのワーク領域があれば、なお良い（生成速度に影響する）。最大１０２ＭＢのワーク領域がなければ、付加画像の画像データを分割して、使用できるワークエリアにて処理を行う。
【０１０４】
図７（ｃ）は、図７（ａ）から他の付加画像の、モノクロ用の生成要求がきた場合のメモリ概念図である。モノクロ用の付加画像印刷データを保持しているデータ領域を解放して、カラー用の付加画像印刷データを残したまま、すべての保持領域を、ワークエリアとして使用する。
【０１０５】
図７（ｄ）は、Ａ３のカラー用の付加画像印刷データが保持されている場合のメモリ概念図である。図７（ｅ）は、Ａ３のモノクロ用の付加画像印刷データが保持されている場合のメモリ概念図である。
【０１０６】
図７（ｆ）は、図７（ｄ）、図７（ｅ）から、Ａ３の色情報の異なる付加画像印刷データが来た場合のメモリ概念図である。図７（ｄ）の状態から、一時保存すべきモノクロ用の付加画像印刷データのサイズと、ワークエリアとを考慮すると、図７（ｄ）の領域を開放して、図７（ｆ）の状態にてモノクロ用の付加画像印刷データを生成する必要がある。また、図７（ｅ）の状態から、一時保持すべきカラー用の付加画像印刷データのサイズと、ワークエリアとを考慮すると、図７（ｅ）の領域を開放して、図７（ｆ）の状態にてカラー用の付加画像印刷データを生成する必要がある。
【０１０７】
なお、１５０ＭＢは、Ａ４カラーの付加画像印刷データが保持された場合、カラー用の付加画像データを保持したまま、モノクロ用の付加画像印刷データが生成できると共に、Ａ３のカラー用の付加画像印刷データを単独保持できる最小メモリ容量である。
【０１０８】
最後に、印刷制御装置１０における、出力部１９、入力部１２、圧縮伸張部１８、生成時間制御部２１、画像処理部１４、画像回転部１５、及び画像合成部１６は、ハードウェアロジックによって構成してもよいし、次のようにＣＰＵを用いてソフトウェアによって実現してもよい。
【０１０９】
すなわち、印刷制御装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである印刷制御装置１０の制御プログラムのプログラムコード（実行形式プログラム、中間コードプログラム、ソースプログラム）をコンピュータで読み取り可能に記録した記録媒体を、上記画像形成システム１に供給し、そのコンピュータ（またはＣＰＵやＭＰＵ）が記録媒体に記録されているプログラムコードを読み出し実行することによっても、達成可能である。
【０１１０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１１】
また、印刷制御装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【図面の簡単な説明】
【０１１３】
【図１】図１（ａ）〜図１（ｃ）は、本発明の実施形態を示すものであり、カラー頁とモノクロ頁とが混載した混載印刷の場合の、保持メモリにおける保持領域のデータ保持状態を示す説明図である。
【図２】本実施形態であるデジタル複合機の制御系の構成を示すブロック図である。
【図３】本実施形態であるデジタル複合機の印刷制御装置が、入力部から入力された印刷対象画像の画像データに前段画像処理、画像回転処理を施し、圧縮してＨＤＤに保存するまでの処理を示すフローチャートである。
【図４】本実施形態であるデジタル複合機の印刷制御装置が、印刷対象画像の圧縮データをＨＤＤから読み出し、後段画像処理、画像回転処理を施して印刷対象画像印刷データを生成する一方、付加画像の画像データに後段画像処理、画像回転処理を施して付加画像印刷データ生成し、両印刷データを合成して出力するまでの処理を示すフローチャートである。
【図５】図５（ａ）図５（ｂ）は、本発明の前提となる構成を示すもので、カラー頁とモノクロ頁とが混載した混載印刷の場合の、保持メモリにおける保持領域のデータ保持状態を示す説明図である。
【図６】図６（ａ）〜図６（ｃ）は、本発明の他の実施形態を示すものであり、カラー頁とモノクロ頁とが混載した混載印刷の場合の、保持メモリにおける保持領域のデータ保持状態を示す説明図である。
【図７】図７（ａ）〜図７（ｆ）は、本発明の他の実施形態であるデジタル複合機における印刷制御装置において、保持メモリを１５０ＭＢに設定した場合の、メモリの使用量を概念的に示す説明図である。
【図８】従来の印刷制御装置における、カラー頁とモノクロ頁とが混載した混載印刷の場合の、保持メモリにおける保持領域のデータ保持状態を示す説明図である。
【符号の説明】
【０１１４】
１    デジタル複合機（画像形成装置）
１０    印刷制御装置
１１    制御部（保持メモリ制御手段）
１２    入力部（入力手段）
１３      ａ  保持メモリ
１４    画像処理部（第１データ生成手段、第２データ生成手段）
１５    画像回転部（第１データ生成手段、第２データ生成手段）
１６    画像合成部（印刷データ合成手段）
１９    出力部（出力手段）
２０    印刷装置（印刷画像形成部）
【図１】
2010055574.tif 000003
【図２】
2010055574.tif 000004
【図３】
2010055574.tif 000005
【図４】
2010055574.tif 000006
【図５】
2010055574.tif 000007
【図６】
2010055574.tif 000008
【図７】
2010055574.tif 000009
【図８】
2010055574.tif 000010